(57)【特許請求の範囲】
【請求項１】
温水洗浄便座を操作することが可能な携帯情報端末において、
温水洗浄便座からの無線信号を受信する手段と、
温水洗浄便座の使用設定条件を記憶する記憶手段と、
温水洗浄便座から入室者検知信号又は着座検知信号を該受信手段が受信すると、該記憶手段に記憶された使用設定条件を温水洗浄便座に送信する手段と、を備えたことを特徴とする携帯情報端末。
【請求項２】
請求項１において、温水洗浄便座に対し現状の設定条件を携帯情報端末へ送信させる指示信号の送信手段を備えたことを特徴とする携帯情報端末。
【請求項３】
温水洗浄便座と、請求項１又は２に記載の携帯情報端末とを有する温水洗浄便座システムであって、
該温水洗浄便座は、
便器に設置される温水洗浄便座本体と、
トイレルーム内への人体の入室を検知するための人体検知手段と、
便座への着座を検知する着座センサと、
携帯情報端末からの操作信号を受信する操作信号受信手段と、
入室を示す無線信号を発信する手段とを備えたことを特徴とする温水洗浄便座システム。
【発明の詳細な説明】
【技術分野】
【０００１】
本発明は、トイレの温水洗浄便座を操作するための携帯情報端末と、この携帯情報端末及び温水洗浄便座を備えた温水洗浄便座システムに関する。
【背景技術】
【０００２】
便器に設置された、人体臀部を温水で洗浄するための温水洗浄便座にあっては、スイッチを操作することにより温水の噴出、停止などの各種の動作が実行される。このスイッチは、便座に設置された温水洗浄便座本体に設けられたり、温水洗浄便座本体とは別体のリモコンに設けられている。
【０００３】
特許文献１（特開２００３−１２５４６７）には、携帯電話を洗浄装置のリモコンとして使用することが記載されている。特許文献１では、洗浄装置として主として洗濯機が記述されているが、洗浄装置は温水洗浄便座であってもよいことが記載されている（００４０段落）。
【０００４】
特許文献１では、携帯電話の所有者がインターネットを介して情報提供者サーバにアクセスし、洗濯機制御プログラムをダウンロードする。それ以降は、携帯電話を洗濯機のリモコンとして使用することが可能となる。携帯電話と洗濯機との間は簡易通信手段によって通信が行われる。
【先行技術文献】
【特許文献】
【０００５】
【特許文献１】特開２００３−１２５４６７
【発明の概要】
【発明が解決しようとする課題】
【０００６】
上記特許文献１には、携帯電話によって洗濯機をリモートコントロールすることについて記述されているが、温水洗浄便座を具体的にどのようにしてリモートコントロールするかについては記載がない。
【０００７】
本発明は、携帯情報端末によって温水洗浄便座を操作する場合の使い勝手が良好な温水洗浄便座システムと、そのための携帯情報端末とを提供することを目的とする。
【課題を解決するための手段】
【０００８】
本発明の携帯情報端末は、温水洗浄便座を操作することが可能な携帯情報端末において、温水洗浄便座からの無線信号を受信する手段と、温水洗浄便座の設定条件を記憶する記憶手段と、温水洗浄便座から入室者検知信号又は着座検知信号を該受信手段が受信すると、該記憶手段に記憶された設定条件を温水洗浄便座に送信する手段と、を備えたことを特徴とするものである。
【０００９】
本発明の携帯情報端末は、温水洗浄便座に対し現状の設定条件を携帯情報端末へ送信させる指示信号の送信手段を備えてもよい。
【００１０】
本発明の携帯情報端末は、表示画面を有し、温水洗浄便座からの入室者検知信号を該受信手段が受信すると該表示画面に温水洗浄便座の非着座時用操作画面を表示させる手段と、温水洗浄便座からの着座検知信号を該受信手段が受信すると該表示画面に温水洗浄便座の着座時用操作画面を表示させる手段を備えてもよい。
【００１１】
本発明の携帯情報端末は、さらに、温水洗浄便座からの洗浄開始信号を該受信手段が受信すると該表示画面に洗浄中用操作画面を表示させる手段と、温水洗浄便座からの洗浄停止信号を該受信手段が受信すると該表示画面に着座時用操作画面を表示させる手段とを備えてもよい。
【００１２】
本発明の温水洗浄便座システムは、温水洗浄便座と、上記本発明の携帯情報端末とを有する温水洗浄便座システムであって、該温水洗浄便座は、便器に設置される温水洗浄便座本体と、トイレルーム内への人体の入室を検知するための人体検知手段と、便座への着座を検知する着座センサと、携帯情報端末からの操作信号を受信する操作信号受信手段と、入室を示す無線信号を発信する手段とを備えたことを特徴とするものである。
【００１３】
この温水洗浄便座システムにおいて、温水洗浄便座は、さらに着座を示す無線信号及び離座を示す無線信号を発信する手段を備えてもよい。
【００１４】
この温水洗浄便座システムにおいて、温水洗浄便座は、温水洗浄便座の洗浄動作開始を示す無線信号及び温水洗浄便座の洗浄動作終了を示す無線信号の発信手段をさらに備えてもよい。
【発明の効果】
【００１５】
本発明の携帯情報端末及び温水洗浄便座システムにあっては、温水洗浄便座操作用プログラムを搭載した携帯情報端末を所持した人がトイレルームに入室すると、温水洗浄便座が人体を検知し、入室者検知信号が温水洗浄便座から携帯情報端末に送信される。本発明では、携帯情報端末に温水洗浄便座の設定条件が記憶されており、入室者検知信号又は着座検知信号を受信すると携帯情報端末に記憶されていた設定条件が温水洗浄便座に送信される。これにより、個々の人にとって好ましい設定条件が携帯情報端末から自動的に温水洗浄便座に設定されることになる。
【００１６】
この携帯情報端末に、温水洗浄便座に設定された現状の設定条件を携帯情報端末へ送信することを指示する指示信号の送信手段を設けた場合には、温水洗浄便座の設定条件を強制的に携帯情報端末に送信させることができる。この機能は、温水洗浄便座を修理して温水洗浄便座のデータが消失する場合の対策として好適である。
【００１７】
本発明の携帯情報端末は、入室者検知信号を受信すると、その表示画面を非着座状態で操作するための非着座時用操作画面に切り替わるように構成してもよい。また、人が温水洗浄便座の便座に着座すると、温水洗浄便座が着座検知無線信号を出力し、携帯情報端末がこの着座検知無線信号を受信すると、携帯情報端末の表示画面が着座時用操作画面に切り替わるように構成してもよい。
【００１８】
本発明では、温水洗浄便座でシャワー又はビデ洗浄が開始したときに、携帯情報端末の画面を洗浄中用操作画面に切り替え、洗浄条件等の設定変更用の表示を行ってもよい。
【００１９】
このように温水洗浄便座の使用状況に応じて携帯情報端末の表示画面を切り替えることにより、表示画面に当面は不要なスイッチが表示されないようになり、画面表示がすっきりしたものとなり、操作が明快となる。
【図面の簡単な説明】
【００２０】
【図１】実施の形態に係る温水洗浄便座を備えたトイレルームの斜視図である。
【図２】洗浄装置の概略図である。
【図３】温水洗浄便座の制御ブロック図である。
【図４】温水洗浄便座の制御フローチャートである。
【図５】温水洗浄便座の制御フローチャートである。
【図６】携帯情報端末の制御フローチャートである。
【図７】携帯情報端末の制御フローチャートである。
【図８】携帯情報端末の表示画面図である。
【図９】携帯情報端末の表示画面図である。
【図１０】携帯情報端末の表示画面図である。
【図１１】携帯情報端末の表示画面図である。
【発明を実施するための形態】
【００２１】
以下、図面を参照して実施の形態について説明する。
【００２２】
図１の通り、トイレルーム１内に洋風便器２が設置され、該洋風便器２上に温水洗浄便座３が設置されている。この温水洗浄便座３は、便器２の後部に設置された便座ボックス４と、該便座ボックス４に上下方向回動可能に支持された便蓋５及び便座６を有している。便座ボックス４の上面前縁部には、便蓋５及び便座６の双方が倒伏した状態（図１）において、便器２前方の人体を検知する第１人体検知センサ７が設けられている。また、便座ボックス４の前面の左右方向の中央の下部には、便蓋５及び便座６の双方が起立した状態において便器２前方の人体を検知する第２人体検知センサ９（図３参照。図１では図示されていない。）が設けられている。
【００２３】
トイレルーム１の壁面には、温水洗浄便座３を操作するためのリモコン８が設置されている。トイレルーム１の利用者Ｐは携帯情報端末１０を所持しており、温水洗浄便座３はリモコン８だけでなく、この携帯情報端末１０によっても操作可能となっている。携帯情報端末１０と温水洗浄便座３とはブルートゥース（登録商標）などの簡易無線通信システムによって相互通信するよう構成されている。携帯情報端末１０には、タッチパネル式の液晶表示画面が設けられている。この携帯情報端末１０にはメニュースイッチ（図示略）が設けられている。
【００２４】
この実施の形態では、携帯情報端末１０から温水洗浄便座３に送信する信号データ中に携帯情報端末１０の所有者を示すＩＤ信号を含ませておき、温水洗浄便座３が特定の携帯情報端末１０からの信号を受信した後は、この携帯情報端末１０による操作が終了するまではこの携帯情報端末１０以外の携帯情報端末からの信号では制御動作しないように構成されている。
【００２５】
便座ボックス４には、図３の通り、人体検知センサ７，９のほか、便座６への着座を検知する着座センサ１１、リモコン８及び携帯情報端末１０からの無線信号を受信する受信部１２、携帯情報端末に無線信号を発信する発信部１３、入力信号に基づいて制御を行う制御部１５、該制御部１５によって制御される便蓋回動装置１６、便座回動装置１７、便座ヒータ１８、人体臀部洗浄用のシャワー装置１９及びビデ装置２０、温風を臀部に吹き付けて乾燥させるための乾燥装置２１、便器の便鉢から臭気を含んだ空気を排出し、活性炭等によって除臭する脱臭装置２２、室内に温風を吹き出すための室内暖房装置２３、トイレルーム１の床面に向って投光する照明装置２４、便座ボックス４を図１の矢印Ｈのように昇降させるための便座ボックス昇降装置２５、便器の便鉢に水を流すフラッシュ装置２６などの機器が制御される。
【００２６】
制御部１５には温水洗浄便座の設定条件を記憶するためのメモリ装置２７が接続されている。
【００２７】
なお、シャワー装置１９及びビデ装置２０は、図２のように、水が開閉用メインバルブ２９、流量調整バルブ３０、ヒータ３１を介してシリンダ３２に供給され、ノズル３３の先端から温水が噴出するよう構成されている。ノズル３３は水圧又はモータによって進退が行われる。シリンダ３２には前後位置調節装置３４が設けられており、シリンダ３２の前後位置を調節することによりシャワーやビデの洗浄位置を調節することができる。
【００２８】
図４を参照してこの制御部１５の作動について説明する。
【００２９】
トイレルーム１内に人が入室してきて第１人体検知センサ７がこの人体を検知すると、ステップ４１から４２に進み、発信部１３が入室者検知無線信号を発信し、次いで便蓋回動装置１６によって便蓋５を起立回動させる（ステップ４３）。次いで、ステップ４４に進み、着座が検知されるか判断し、着座が検知されないときにはステップ５５に移り、便座開信号が受信されたか判断し、受信されないときはステップ５５ａに移り、所定時間（例えば１〜３分）経過するまでステップ４４，５５，５５ａを循環する。この所定時間の間に便座開信号が受信されないときにはステップ５５ａからステップ５４に移り、便蓋５を閉とし、ステップ４１に戻る。
【００３０】
なお、ステップ４４，５５，５５ａを循環している途中で便座開信号を受信したときには、ステップ５５からステップ５６に進み、便座６を開とした後、ステップ５７に進み、便座閉信号の受信の有無を判断し、その結果に応じてステップ５８又は６０に進む。便座閉信号が受信されるまで、そして、第２人体検知センサ９が人体を検知している間はステップ５７，５８を循環する。この循環途中で人体が検知されなくなったときには、人が退室したのであるから、ステップ５８からステップ５９に移り、便座６及び便蓋５を閉とし、ステップ４１に戻る。ステップ５７，５８の循環途中で便座閉信号を受信したときには、ステップ５７からステップ６０に移り、便座６を閉とした後、ステップ４４に戻る。
【００３１】
ステップ４４，５５，５５ａ又はステップ４４，５５，５６，５７，６０を循環している途中で着座が検知されたときには、ステップ４４から４５に進み、着座検知信号を発信し、ステップ４６にて洗浄スイッチ（シャワー用アイコン９３，９４又はビデアイコン９５。図９参照。）がタッチ操作されたか判断する。
【００３２】
洗浄スイッチがタッチ操作されないときは、ステップ４６から５０に移り、離座（便座６から立ち上がること。脱座ともいう。着座センサ１１によって検知される。）したか判断し、離座しておらず、着座が継続しているときには、ステップ４６に戻る。ステップ４６，５０の循環途中で洗浄スイッチ（シャワー用アイコン９３，９４又はビデアイコン９５。図９参照。）がタッチ操作されたときにはステップ４６からステップ４７に進み、シャワー装置又はビデ装置による洗浄を開始させると共に、洗浄開始無線信号を発信する。次いで、ステップ４８に進み、洗浄を停止させる止アイコン１０４（図１０）がタッチ操作されるまで洗浄を続ける。止アイコン１０４がタッチ操作されると、ステップ４８からステップ４９に進み、シャワー装置又はビデ装置による洗浄を停止させると共に、洗浄終了無線信号を発信する。その後、離座が検知されるまでステップ４６〜５０を循環する。
【００３３】
ステップ５０で離座が検知されると、ステップ５０からステップ５１に進み、離座検知無線信号を発信し、ステップ５２に進む。着座が検知されないときにはステップ５３に進み、所定時間（例えば１〜３分）経過後、便蓋５を閉め（ステップ５４）、ステップ４４に戻る。なお、この所定時間経過前に再度の着座があったときには、ステップ５２からステップ４５に戻る。
【００３４】
図４において、入室者を検知した後のプログラムを実行している間に、携帯情報端末１０からメモリ装置２７に記憶されている設定条件を携帯情報端末１０に送信すべきことを指示する信号が送られてきた時には、図５のステップ７７，７８の通り、メモリ装置２７からデータを読み出して発信部１３から送信する割り込みプログラム（データ転送プログラム）を実行する。
【００３５】
このデータ転送プログラムは、温水洗浄便座３を修理（例えば基板交換）することによりメモリ装置２７の記憶データが消失する場合の対策として好適である。即ち、例えば基板交換前にメモリ装置２７のデータを携帯情報端末１０に転送して携帯情報端末１０に記憶させておき、基板交換後に携帯情報端末１０からデータを温水洗浄便座３に転送することにより、修理後の温水洗浄便座３を条件設定送信を再度行うことなく、修理前と同一設定条件で使用することが可能となる。
【００３６】
次に、図６を参照して携帯情報端末１０による温水洗浄便座３の制御プログラムについて説明し、図８〜１１を参照して、携帯情報端末１０の表示画面について説明する。なお、この実施の形態では、携帯情報端末１０はスマートフォンであるが、これに限定されない。例えば、表示画面を携帯電話仕様に変更することにより携帯電話であっても本発明を適用可能となる。
【００３７】
この制御プログラム（アプリケーションソフト）は、携帯情報端末１０の所有者等がインターネットを介して温水洗浄便座３のメーカーのホームページにアクセスし、ダウンロードすることにより携帯情報端末１０にインストールされる。
【００３８】
この携帯情報端末１０を所持した人Ｐがトイレルーム１に入室するまでは、携帯情報端末１０の表示画面は待ち受け画面となっている。携帯情報端末１０を所持した人Ｐがトイレルーム１に入室すると、温水洗浄便座３が発信する入室者検知無線信号（図４のステップ４２参照。）が該携帯情報端末１０によって受信され、図６においてステップ６１からステップ６２に進む。そして、まず携帯情報端末１０のメモリに記憶されている前回の温水洗浄便座３の使用設定条件を温水洗浄便座３に送信する。なお、記憶データがないときには、このデータ送信の代わりに温水洗浄便座３の標準使用設定条件で温水洗浄便座３が動作すべきであることを示す信号が携帯情報端末１０から送信する。また、携帯情報端末３の表示画面を待ち受け画面から図８の非着座時用操作画面８０に切り替える。
【００３９】
この非着座時用操作画面８０では、温水洗浄便座３を搭載した便器２の写真又は絵が表示されると共に、便座開閉スイッチ用のアイコン８１と便座ボックス４の昇降スイッチ用のアイコン８２が表示される。アイコン８１に触れると、便座６が開となり、もう１回アイコン８１に触れると便座６が閉となる。便器２を男子小用に使用するときには便座６を開とすべくアイコン８１に触れることになる。
【００４０】
アイコン８２に触れると、便座ボックス４が上昇するので、便器２の上面を入念に清掃することが可能となる。アイコン８２にもう１回触れると、便座ボックス４が下降する。
【００４１】
入室者Ｐの検知に伴って便蓋５が開となっているが（図４のステップ４３参照。）、便座６は閉となっている。そして、この閉状態の便座６に着座すると、温水洗浄便座３が着座検知無線信号を発信する（図４のステップ４５）ので、この着座検知無線信号が携帯情報端末１０に受信され、ステップ６３から６４に進み、携帯情報端末１０の表示画面が図９の着座時用操作画面９０に切り替わる。この画面９０には、大フラッシュ操作スイッチ用のアイコン９１、小フラッシュ操作スイッチ用のアイコン９２、おしりを強く洗浄するシャワースイッチとしてのおしりアイコン９３、おしりを弱く洗浄するシャワースイッチとしてのマイルドアイコン９４、ビデ洗浄操作用ビデアイコン９５、乾燥操作用の乾燥アイコン９６、洗浄や乾燥を停止させる止スイッチ用の止アイコン９７が表示される。
【００４２】
大フラッシュ用アイコン９１に触れると、便器２の便鉢に多量の水が供給され、大洗浄が行われる。小フラッシュ用アイコン９２に触れると、便器２の便鉢に少量の水が供給され、小洗浄が行われる。おしりアイコン９３又はマイルドアイコン９４に触れるとシャワー装置１９が作動し、ビデアイコン９５に触れるとビデ装置２０が作動する。乾燥アイコン９６に触れると乾燥装置２１が作動する。止アイコン９７に触れると、これらの作動が停止する。
【００４３】
おしりアイコン９３、マイルドアイコン９４又はビデアイコン９５に触れると、ステップ６５から６６，６７に進み、表示画面が着座時用操作画面９０から図１０の洗浄中用操作画面１００に切り替わる。
【００４４】
この操作画面１００には、おしりアイコン１０１、マイルドアイコン１０２、ビデアイコン１０３、止アイコン１０４が表示され、これらは図９のアイコン９３，９４，９５，９７と同一の機能を有する。操作画面１００には、さらに、マッサージアイコン１０５、ワイドアイコン１０６が表示される。洗浄動作中にマッサージアイコン１０５に触れると、シャワー又はビデ洗浄強さが強弱変化し、もう１回マッサージアイコン１０５に触れるとこの変化が解消し、一様強さの洗浄に戻る。洗浄動作中にワイドアイコン１０６に触れると、シャワー装置１９又はビデ装置２０のノズルが規則的に前後往復動し、洗浄範囲が前後に広がる。ワイドアイコン１０６にもう１回触れると、このモードが解消し、ノズル位置は一定となる。
【００４５】
操作画面１００には、このノズルの位置を調節するための前進用アイコン１０７と後退用アイコン１０８とが表示される。アイコン１０７に触れるとノズルが前方に移動し、アイコン１０８に触れるとノズルが後方に移動する。この移動状況は表示部１０９，１１０に表示される。
【００４６】
操作画面１００には、洗浄強さを強くするための「＋」アイコン１１１、弱くするための「−」アイコン１１２及び洗浄強さを表示する表示部１１３が設けられている。アイコン１１１に触れると、ノズルから噴出する洗浄水量が多くなり、アイコン１１２に触れると洗浄水量が減少する。
【００４７】
操作画面１００にはノズルから噴出する洗浄水の温度を高くするための「高」アイコン１１４、この温度を低くするための「低」アイコン１１５、及び設定温度を表示する表示部１１６が設けられている。アイコン１１４に触れると温水の設定温度が例えば０．５℃刻みで上昇し、アイコン１１５に触れるとこの設定温度が低下する。
【００４８】
洗浄中に止アイコン１０４に触れ、温水洗浄便座３が洗浄終了無線信号を発信する（図４のステップ４９）と、この信号を携帯情報端末１０が受信し、ステップ６８から６９に進み、表示画面が図１０の洗浄中用操作画面１００から図９の着座時用操作画面９０に戻る。その後、人が便座から立ち上がると、温水洗浄便座３が離座検知無線信号を発信する（図４ステップ５１）ので、携帯情報端末１０がこの離座検知無線信号を受信すると画面を待ち受け画面とし（ステップ７０，７１）、その後、ステップ６１に戻る。
【００４９】
ステップ６３において、着座が検知されないときには、ステップ６３，７２を循環する。所定時間（例えば１〜３分）が経過しても着座が検知されないときには、ステップ７２からステップ７１に移り、画面を待ち受け画面とした後、ステップ６１に戻る。
【００５０】
なお、図示は省略するが、携帯情報端末１０に設けられているメニュースイッチを操作すると、脱臭装置２２、室内暖房装置２３、照明装置２４の操作アイコン及び設定条件送信指示アイコンを表示した条件項目表示画面に切り替わり、これらの装置２２，２３，２４を操作したり、これらの装置２２，２３，２４の作動設定条件を変更したり、温水洗浄便座３の設定条件を携帯情報端末１０に送信することが可能となっている。
【００５１】
これらの作動設定条件や、前記シャワー装置１９又はビデ装置２０の洗浄強さ、位置、ワイド洗浄、マッサージ洗浄などの設定条件を変更した場合、変更後の条件を携帯情報端末１０のメモリに記憶させる。そして、シャワー装置１９又はビデ装置２０を作動させる度に携帯情報端末１０のメモリに蓄積されているデータを温水洗浄便座に送信し（ステップ６６）、温水洗浄便座３の設定条件データと携帯情報端末１０の設定条件とを合致させる。
【００５２】
上記の条件項目表示画面上で、設定条件送信指示アイコンを操作した場合に実行される割り込みプログラムについて図７を参照して説明する。
【００５３】
メニュースイッチが操作されると、ステップ１２１から１２２に移り、図１１に示す条件項目表示画面１３０を表示し、次いでステップ１２３に移り、設定条件送信指示アイコン１３１をタッチしたか判断する。なお、この表示画面１３０には、温水洗浄便座３から携帯情報端末１０への設定条件送信指示用のアイコン１３１のほか、携帯情報端末１０から温水洗浄便座３へ設定条件を送信するためのアイコン１３２や、便座温度の設定、脱臭装置のＯＮ、ＯＦＦ設定などの各種の設定条件変更スイッチ用のアイコン１３３〜１３５と画面を元の表示に戻すためのリターンアイコン１４０が含まれる。
【００５４】
ステップ１２３において、設定条件送信指示アイコン１３１にタッチしたときには、設定条件指示信号が制御部１５に与えられ、設定条件データが携帯情報端末１０に送信される。なお、アイコン１３２にタッチしたときには、携帯情報端末１０に設定されている条件が温水洗浄便座３に送信される。リターンキー用アイコン１４０にタッチすると、表示画面が元の（メニュースイッチ操作前の）画面に戻る。なお、メニュースイッチを再度押すことにより元の画面に戻る仕様としてもよい。
【００５５】
なお、温水洗浄便座３には、温水洗浄便座の累積使用回数・通電時間、当月の電気代や水道代の情報を記録するメモリ部を設定しておき、携帯情報端末１０を所持した人Ｐがトイレルームに入室したときに、温水洗浄便座３から携帯情報端末１０にメモリ部の記憶情報を送信し、携帯情報端末１０の画面に表示させるようにしてもよい。このようにすれば、今現在の機器の水道代、電気代、部品のメンテナンス時期を携帯情報端末１０の画面で確認することができる。
【００５６】
操作画面のデザインを複数用意しておき、ユーザーが画面デザインを自由に選択することができるようにしてもよい。
【００５７】
本発明では、携帯情報端末１０を所持した人Ｐがトイレルームに入室したときに直ちに温水洗浄便座操作用画面に切り換えるのではなく、画面上に「温水洗浄便座を操作しますか？」等のメッセージを表示し、人Ｐが温水洗浄便座操作モードを選択した場合に温水洗浄便座操作画面（図６の非着座時用操作画面８０）に切り換えるようにしてもよい。また、前記メニュースイッチを操作すると、温水洗浄便座の制御用ソフトの起動と非起動を切り替え設定するためのアイコンを表示するようにしてもよい。
【００５８】
上記説明は本発明の一例であり、本発明は上記以外の態様とされてもよい。例えば、人がトイレルーム１に入室したことが検知されたときに便蓋５及び便座６の双方を開とするように設定してもよい。この設定はトイレ利用者の大半が男子小用利用者である場合に好適である。
【００５９】
なお、本発明の携帯情報端末及び温水洗浄便座システムにあっては、温水洗浄便座操作用プログラムを搭載した携帯情報端末を所持した人がトイレルームに入室すると、温水洗浄便座が人体を検知し、入室者検知信号が温水洗浄便座から携帯情報端末に送信される。携帯情報端末がこの信号を受信すると、その表示画面が温水洗浄便座を操作するための画面となり、携帯情報端末によって温水洗浄便座を操作することが可能となる。
【符号の説明】
【００６０】
１ トイレルーム
２ 便器
３ 温水洗浄便座
７ 第１人体検知センサ
８ 第２人体検知センサ
１０ 携帯情報端末
３１ 温水ヒータ
３２ シリンダ
３３ ノズル
３４ 前後進装置
８０ 非着座時用操作画面
９０ 着座時用操作画面
１００ 洗浄中用操作画面
【図１】
0005889461.tif 000002
【図２】
0005889461.tif 000003
【図３】
0005889461.tif 000004
【図４】
0005889461.tif 000005
【図５】
0005889461.tif 000006
【図６】
0005889461.tif 000007
【図７】
0005889461.tif 000008
【図８】
0005889461.tif 000009
【図９】
0005889461.tif 000010
【図１０】
0005889461.tif 000011
【図１１】
0005889461.tif 000012